(57)【特許請求の範囲】
【請求項１】
メールアドレスとコンテンツとを対応付けて記憶する記憶部を備え、上記コンテンツを管理する管理装置であって、
上記コンテンツを提供するコンテンツ提供装置にて入力され、上記コンテンツおよび上記コンテンツを識別するためのコンテンツ識別情報と対応付けられている第１メールアドレスを受信する第１メールアドレス受信手段と、
通信端末装置から送信された、上記コンテンツ識別情報と対応付けられている、上記コンテンツを取得するためのコンテンツ取得要求とを受信する取得要求受信手段と、
上記記憶部に記憶されているメールアドレスのうち、上記コンテンツ取得要求を送信した上記通信端末装置、または、上記通信端末装置のユーザを識別するための端末識別情報とさらに対応付けられている、上記端末識別情報と異なる第２メールアドレスと、上記取得要求受信手段にて受信した上記コンテンツ識別情報と対応付けられている第１メールアドレスとが一致するか否かを判定する第１判定手段と、
上記第１判定手段による判定結果が不一致であったとき、上記第２メールアドレスを上記第１メールアドレスに更新するために上記通信端末装置に表示されるメールアドレス更新情報を上記通信端末装置に送信し、一方、上記第１判定手段による判定結果が一致であったとき、上記メールアドレス更新情報を上記通信端末装置に送信しない更新情報送信手段と、
上記第１判定手段による判定結果が不一致であったとき、上記第１メールアドレスが上記記憶部に記憶されているか否かを判定する第２判定手段とを備え、
上記更新情報送信手段は、上記第２判定手段の判定結果に応じて、上記通信端末装置に送信する上記メールアドレス更新情報を変更することを特徴とする管理装置。
【請求項２】
上記第２判定手段は、上記第１メールアドレスが上記記憶部に記憶されていると判定したとき、上記第２メールアドレスに対してメールが送信可能か否かをさらに判定し、
上記更新情報送信手段は、上記第２判定手段がメール送信不可と判定したときのみ、上記メールアドレス更新情報を上記通信端末装置に送信することを特徴とする請求項１に記載の管理装置。
【請求項３】
上記メールアドレス更新情報は、メールアドレスを更新するためのウェブページへのリンク情報を含むことを特徴とする請求項１または２に記載の管理装置。
【請求項４】
請求項１〜３のいずれか１項に記載の管理装置と、上記コンテンツ提供装置と、上記通信端末装置とを備えることを特徴とするメールアドレス更新システム。
【請求項５】
上記コンテンツ提供装置は、被写体を撮影し、写真シールを作成する写真シール作成装置であり、
上記コンテンツは、被写体を撮影した撮影画像データであることを特徴とする請求項４に記載のメールアドレス更新システム。
【請求項６】
上記通信端末装置は、上記メールアドレス更新情報を表示する表示手段を備えることを特徴とする請求項４または５に記載のメールアドレス更新システム。
【請求項７】
メールアドレスとコンテンツとを対応付けて記憶する記憶部を備え、上記コンテンツを管理する管理装置の制御方法であって、
上記コンテンツを提供するコンテンツ提供装置にて入力され、上記コンテンツおよび上記コンテンツを識別するためのコンテンツ識別情報と対応付けられている第１メールアド
レスを受信する第１メールアドレス受信ステップと、
通信端末装置から送信された、上記コンテンツ識別情報と対応付けられている、上記コンテンツを取得するためのコンテンツ取得要求を受信する取得要求受信ステップと、
上記記憶部に記憶されているメールアドレスのうち、上記コンテンツ取得要求を送信した上記通信端末装置、または、上記通信端末装置のユーザを識別するための端末識別情報とさらに対応付けられている、上記端末識別情報と異なる第２メールアドレスと、上記取得要求受信ステップにて受信した上記コンテンツ識別情報と対応付けられている第１メールアドレスとが一致するか否かを判定する第１判定ステップと、
上記第１判定ステップによる判定結果が不一致であったとき、上記第２メールアドレスを上記第１メールアドレスに更新するために上記通信端末装置に表示されるメールアドレス更新情報を上記通信端末装置に送信し、一方、上記第１判定ステップによる判定結果が一致であったとき、上記メールアドレス更新情報を上記通信端末装置に送信しない更新情報送信ステップと、
上記第１判定ステップにおける判定結果が不一致であったとき、上記第１メールアドレスが上記記憶部に記憶されているか否かを判定する第２判定ステップと、を含み、
上記更新情報送信ステップにおいて、上記第２判定ステップの判定結果に応じて、上記通信端末装置に送信する上記メールアドレス更新情報を変更することを特徴とする管理装置の制御方法。
【発明の詳細な説明】
【技術分野】
【０００１】
本発明は、メールアドレスとコンテンツとを対応付けて記憶することでコンテンツを管理する管理装置、この管理装置を含むメールアドレス更新システム、およびこの管理装置の制御方法に関する。
【背景技術】
【０００２】
従来、ユーザに対して様々なサービスを提供するサービス提供サイトがよく知られている。ユーザは、上記サービス提供サイトが提供するサービスを享受するために、上記サービス提供サイトに対して、ユーザが所持する携帯端末のメールアドレスなどの個人情報を提供する「会員登録」を行う。
【０００３】
ユーザから提供された上記メールアドレスなどの個人情報は、上記サービス提供サイトを管理するサーバにて管理される。そして、サービス提供サイトの事業者は、メールマガジンなどの情報を送信するために、上記サーバにて管理されるユーザのメールアドレスを利用する。すなわち、上記サーバにて管理されるユーザのメールアドレス宛にサービスに関する情報を含んだメール（メールマガジン）を送信することにより、上記事業者は、ユーザに対してサービスに関する情報を報知することができる。
【０００４】
以上に説明したサービス提供サイトに関する技術が、特許文献１に記載されている。
【先行技術文献】
【特許文献】
【０００５】
【特許文献１】特開２００６−２０１９７６号公報（２００６年８月３日公開）
【発明の概要】
【発明が解決しようとする課題】
【０００６】
近年、携帯端末のユーザは、様々な理由でメールアドレスを頻繁に変更する傾向が強い。例えば、現在のメールアドレスに対して迷惑メールを頻繁に受信するようになり、それを防ぐために新たなメールアドレスに変更する場合がある。または、特に若いユーザにおいては、メールの送受信相手を一から再構築するために、現在のメールアドレスを新たなものに変更し、その旨を、今後も連絡を取り続けたいと思う相手にだけ伝えることをよく行う。
【０００７】
しかしながら、ユーザがメールアドレスを変更した場合、その事実がサービス提供サイトを管理するサーバにて管理されている個人情報には反映され難い。一般に、ユーザは、メールアドレスの変更を上記サーバにて管理されている個人情報に反映させるための手続きを、面倒に思うからである。この結果、ユーザがメールアドレスを変更した後も、上記サーバにて管理されている個人情報には、古いメールアドレスが登録されたままになりがちであるという問題が生じる。
【０００８】
上記の問題の解決策として、ユーザに対して、定期的にメールアドレスの更新を促す方法が考えられる。しかしながら、メールアドレスを更新していないユーザにとっては、定期的にメールアドレスの更新を促されることで、煩わしさを感じるという新たな問題が生じる。
【０００９】
本発明は上記の課題を解決するためになされたものである。そして、その目的は、メールアドレスを変更したユーザに対して、適切にメールアドレスの更新を促すことができる管理装置を提供することにある。
【課題を解決するための手段】
【００１０】
上記の課題を解決するために、本発明に係る管理装置は、メールアドレスとコンテンツとを対応付けて記憶する記憶部を備え、上記コンテンツを管理する管理装置であって、上記コンテンツを提供するコンテンツ提供装置にて入力され、上記コンテンツおよび上記コンテンツを識別するためのコンテンツ識別情報と対応付けられている第１メールアドレスを受信する第１メールアドレス受信手段と、通信端末装置から送信された、上記コンテンツ識別情報と対応付けられている、上記コンテンツを取得するためのコンテンツ取得要求を受信する取得要求受信手段と、上記記憶部に記憶されているメールアドレスのうち、上記コンテンツ取得要求を送信した上記通信端末装置、または、上記通信端末装置のユーザを識別するための端末識別情報とさらに対応付けられている、上記端末識別情報と異なる第２メールアドレスと、上記取得要求受信手段にて受信した上記コンテンツ識別情報と対応付けられている第１メールアドレスとが一致するか否かを判定する第１判定手段と、上記第１判定手段による判定結果が不一致であったとき、上記第２メールアドレスを上記第１メールアドレスに更新するために上記通信端末装置に表示されるメールアドレス更新情報を上記通信端末装置に送信する更新情報送信手段と、を備える。
【００１１】
また、上記の課題を解決するために、本発明に係る管理装置の制御方法は、メールアドレスとコンテンツとを対応付けて記憶する記憶部を備え、上記コンテンツを管理する管理装置の制御方法であって、上記コンテンツを提供するコンテンツ提供装置にて入力され、上記コンテンツおよび上記コンテンツを識別するためのコンテンツ識別情報と対応付けられている第１メールアドレスを受信する第１メールアドレス受信ステップと、通信端末装置から送信された、上記コンテンツ識別情報と対応付けられている、上記コンテンツを取得するためのコンテンツ取得要求を受信する取得要求受信ステップと、上記記憶部に記憶されているメールアドレスのうち、上記コンテンツ取得要求を送信した上記通信端末装置、または、上記通信端末装置のユーザを識別するための端末識別情報とさらに対応付けられている、上記端末識別情報と異なる第２メールアドレスと、上記取得要求受信ステップにて受信した上記コンテンツ識別情報と対応付けられている第１メールアドレスとが一致するか否かを判定する第１判定ステップと、上記第１判定ステップによる判定結果が不一致であったとき、上記第２メールアドレスを上記第１メールアドレスに更新するために上記通信端末装置に表示されるメールアドレス更新情報を上記通信端末装置に送信する更新情報送信ステップと、を含む。
【００１２】
上記の構成によれば、ユーザがコンテンツ提供装置に入力した第１メールアドレスは、管理装置に送信される。この第１メールアドレスは、ユーザが、コンテンツを取得するためにコンテンツ取得装置に入力したメールアドレスであるので、現時点でユーザが通信端末装置を用いてメールを送受信するために使用している、最新のメールアドレスであるといえる。
【００１３】
管理装置は、受信した第１メールアドレスと、記憶部に記憶された第２メールアドレスとを比較する。この第２メールアドレスは、第１メールアドレス宛に送信されたメールに含まれるコンテンツ取得情報に基づくコンテンツ取得要求を行った通信端末装置、または、通信端末装置のユーザを識別するための端末識別情報と対応付けられている。したがって第２のメールアドレスは、第１のメールアドレスを入力したユーザが少なくとも過去に利用していたメールアドレスである。
【００１４】
したがって管理装置は、第１メールアドレスと第２メールアドレスとが一致するかを判定することによって、ユーザがメールアドレスを変更したかを確認することができる。管理装置は、両者が一致しないと判定した場合、第２メールアドレスを第１メールアドレスに更新するためのメールアドレス更新情報を、ユーザの通信端末装置に送信する。
【００１５】
これにより管理装置は、メールアドレスを変更したユーザを確実に特定し、さらにこのユーザに対して、適切にメールアドレスの更新を促すことができる。したがってユーザは、メールアドレスの更新を促されることに、わずらわしさを感じることはない。換言すれば、メールアドレスを変更していないにもかかわらず、メールアドレスの更新を促されるといった煩わしさから、ユーザを開放することができる。
【００１６】
本発明に係る管理装置は、さらに、上記第１判定手段による判定結果が不一致であったとき、上記第１メールアドレスが上記記憶部に記憶されているか否かを判定する第２判定手段をさらに備え、上記更新情報送信手段は、上記第２判定手段の判定結果に応じて、上記通信端末装置に送信する上記メールアドレス更新情報を変更することが好ましい。
【００１７】
上記の構成によれば、第１判定手段による判定結果が不一致であったとき、第１メールアドレスが記憶部に記憶されているかを判定することで、第２メールアドレスと一致しない第１メールアドレスが、記憶部に記憶されているかを特定することができる。
【００１８】
ここで、第２メールアドレスと一致しない第１メールアドレスが、記憶部に記憶されているということは、第１メールアドレスが不特定のユーザ情報と対応付けられていることを意味する。つまり、第１メールアドレスが記憶部に記憶されていない場合と同様のメールアドレス更新情報を用いた場合、当該情報は、ユーザが適切にメールアドレスを更新できる情報ではないおそれがある。
【００１９】
しかしながら、上記構成によれば、第１メールアドレスが記憶部に記憶されているか否かに応じて、メールアドレス更新情報を変更するので、状況に応じて、ユーザが適切にメールアドレスを更新できる情報を提示することができる。
【００２０】
本発明に係る管理装置は、さらに、上記第２判定手段は、上記第１メールアドレスが上記記憶部に記憶されていると判定したとき、上記第２メールアドレスに対してメールが送信可能か否かをさらに判定し、上記更新情報送信手段は、上記第２判定手段がメール送信不可と判定したときのみ、上記メールアドレス更新情報を上記通信端末装置に送信することが好ましい。
【００２１】
上記の構成によれば、第１メールアドレスが記憶部に記憶されている場合、第２メールアドレスに対してメールが送信可能か否かをさらに判定し、メール送信不可と判定したときのみ、メールアドレス更新情報を通信端末装置に送信する。
【００２２】
第２メールアドレスに対してメールが送信不可能であるということは、第２メールアドレスを有するユーザに対して、メールを用いたサービスに関する情報を提供することができないということを意味する。換言すれば、第２メールアドレスに対してメールが送信不可能なユーザは、メールアドレスの更新を促すべきユーザであるということである。つまり、第１メールアドレスが記憶部に記憶されている場合において、メールアドレスの更新を促すべきユーザのみにメールアドレス更新情報を送信することができる。すなわち、メールアドレスの更新を促すべきユーザを適切に選別することができる。
【００２３】
本発明に係る管理装置は、さらに、上記メールアドレス更新情報は、メールアドレスを更新するためのウェブページへのリンク情報を含むことが好ましい。
【００２４】
上記構成によれば、メールアドレス更新情報には、メールアドレスを更新するためのウェブページへのリンク情報が含まれるので、メールアドレスの更新を促されたユーザは、上記通信端末装置を操作して上記リンク情報を選択するだけで、メールアドレスの更新を開始することができる。
【００２５】
本発明に係るメールアドレス更新システムは、さらに、上記管理装置と、上記コンテンツ提供装置と、上記通信端末装置とを備えることが好ましい。
【００２６】
上記の構成によれば、コンテンツ提供装置で第１メールアドレスを入力した結果、管理装置にて第１メールアドレスと第２メールアドレスとが一致するか否かの判定が行われ、その判定結果が不一致の場合に、メールアドレス更新情報が通信端末装置に送信される。
【００２７】
以上より、ユーザがコンテンツを取得するためにコンテンツ提供装置にて入力するメールアドレスを、管理装置に記憶されているメールアドレスが変更されているか否かの判定に利用するので、ユーザが、自身の通信端末装置を用いて、コンテンツ提供装置からコンテンツを取得する流れの中で、メールアドレスを変更しているユーザに対して、メールアドレスの更新を促すことができる。
【００２８】
本発明に係るメールアドレス更新システムは、さらに、上記コンテンツ提供装置は、被写体を撮影し、写真シールを作成する写真シール作成装置であり、上記コンテンツは、被写体を撮影した撮影画像データであることが好ましい。
【００２９】
上記の構成によれば、写真シール作成装置は、ユーザに対して撮影画像データを提供するので、ユーザが上記撮影画像データを取得する流れの中で、メールアドレスを変更しているユーザに対して、メールアドレスの更新を促すことができる。
【００３０】
本発明に係るメールアドレス更新システムは、さらに、上記通信端末装置は、上記メールアドレス更新情報を表示する表示手段を備えることが好ましい。
【００３１】
上記の構成によれば、通信端末装置がメールアドレス更新情報を表示する表示手段を備えているので、ユーザはメールアドレスを更新すべきことを視覚で認識することができる。
【００３２】
本発明の各態様に係る管理装置は、コンピュータによって実現してもよく、この場合には、コンピュータを上記管理装置が備える各手段として動作させることにより上記管理装置をコンピュータにて実現させる管理装置の制御プログラム、およびそれを記録したコンピュータ読み取り可能な記録媒体も、本発明の範疇に入る。
【発明の効果】
【００３３】
本発明の一態様によれば、メールアドレスを変更したユーザに対して、適切にメールアドレスの更新を促すことができるという効果を奏する。
【図面の簡単な説明】
【００３４】
【図１】本発明の実施形態１に係る管理サーバの要部構成を示すブロック図である。
【図２】本発明の実施形態１に係るメールアドレス更新システムの要部構成を示す概略図である。
【図３】本発明の実施形態１に係る写真シール作成装置の外観の構成例を示す斜視図である。
【図４】本発明の実施形態１に係る写真シール作成装置の要部構成を示すブロック図である。
【図５】本発明の実施形態１に係る携帯端末の要部構成を示すブロック図である。
【図６】本発明の実施形態１における会員登録処理において携帯端末の表示部に表示されるウェブページの一例を示す画面遷移図である。
【図７】本発明の実施形態１における撮影画像取得処理において携帯端末の表示部に表示されるウェブページの一例を示す画面遷移図である。
【図８】本発明の実施形態１におけるメールアドレス更新処理の流れの一例を示すシーケンス図である。
【図９】本発明の実施形態１におけるメールアドレス判定処理の流れの一例を示すフローチャートである。
【図１０】本発明の実施形態１におけるメールアドレス更新処理において携帯端末の表示部に表示されるウェブページの一例を示す画面遷移図である。
【図１１】本発明の実施形態１の変形例１におけるメールアドレス更新処理の流れの一例を示すシーケンス図である。
【図１２】本発明の実施形態１の変形例２において携帯端末６に表示されるウェブページの一例を示す画面遷移図である。
【図１３】本発明の実施形態２に係る管理サーバ２の概略構成を示すブロック図である。
【図１４】本発明の実施形態２におけるメールアドレス判定処理の流れの一例を示すフローチャートである。
【図１５】登録報知兼メールアドレス更新用ウェブページの一例を示す画面図である。
【図１６】本発明の実施形態３におけるメールアドレス判定処理の流れの一例を示すフローチャートである。
【発明を実施するための形態】
【００３５】
本発明の実施の形態について、図１〜１６に基づいて説明すれば以下のとおりである。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状や寸法を反映させたものではなく、図面の明瞭化と簡略化のために適宜変更している。
【００３６】
〔実施形態１〕
以下、本発明に係る管理装置、コンテンツ提供装置、通信端末装置、およびメールアドレス更新システムの一態様として、図１〜図１２に基づき、管理サーバ１、写真シール作成装置４、携帯端末６、およびメールアドレス更新システム１０について、それぞれ詳細に説明する。すなわち、実施形態１における「コンテンツ」とは、写真シール作成装置４にて撮影された写真データ（撮影画像）である。なお、本発明に係る管理装置、コンテンツ提供装置、通信端末装置、およびメールアドレス更新システムは、上記の態様に限定されるものではない。
【００３７】
（メールアドレス更新システム１０）
図２は、本発明の実施形態１に係るメールアドレス更新システム１０の要部構成を示す概略図である。図２に示すように、メールアドレス更新システム１０は、管理サーバ１、写真シール作成装置４、および携帯端末６を備えている。
【００３８】
ここで、メールアドレス更新システムの概要を説明する。まず、ユーザは、写真シール作成装置４で作成した撮影画像を携帯端末６で取得するために、写真シール作成装置４にメールアドレス（第１メールアドレス）を入力する。写真シール作成装置４は、撮影画像（撮影画像データ）と対応付けて、上記第１メールアドレス、および撮影画像を識別するための情報である撮影画像情報（コンテンツ識別情報）を管理サーバ１に送信する。ここで、「撮影画像」とは、写真シール作成装置４で編集された編集後の撮影画像も含む。また、「撮影画像情報」の一例として、画像のファイル名や画像に付与されるＩＤ（後述するシールＩＤ）などが挙げられる。なお、そのほかの情報を撮影画像とともに管理サーバ１に送信してもよい。
【００３９】
管理サーバ１は、第１メールアドレスを受信すると、撮影画像を取得するためのウェブページのＵＲＬ（コンテンツ取得情報）を含むメールを、第１メールアドレス宛に送信する。ユーザは、携帯端末６でメールを受け取ると、上記ウェブページにアクセスするために携帯端末６を操作してＵＲＬを選択する。管理サーバ１は、ユーザの上記ウェブページへのアクセス要求（コンテンツ取得要求）を受けて、携帯端末６に、撮影画像を取得するためのウェブページを送信する。
【００４０】
ここで、上記撮影画像を取得するためのウェブページを送信する前に、管理サーバ１は、上記第１メールアドレスと、上記アクセス要求を受信したときに取得した携帯端末６を識別するための情報を用いて読み出した、画像提供サイトの会員であるユーザのユーザ情報として記憶している第２メールアドレスとが一致するかを判定する。そして、当該判定結果が不一致である場合、携帯端末６に、撮影画像を取得するためのウェブページではなく、メールアドレスを更新するためのウェブページ（メールアドレス更新情報）を送信する。
【００４１】
以上により、管理サーバ１は、上記第１メールアドレスと上記第２メールアドレスとが一致するか否かを判定することによって、ユーザがメールアドレスを変更したことを確認することができる。そして、両メールアドレスが不一致である、すなわち、メールアドレスの変更を確認できた場合には、メールアドレスを更新するためのウェブページを送信することで、ユーザにメールアドレスの更新を促す。
【００４２】
これにより、管理サーバ１は、メールアドレスを変更したユーザに対して、適切にメールアドレスの更新を促すことができる。また、原則的には、メールアドレスを変更していないユーザに対して上記メールアドレスを更新するためのウェブページが送信されることはない。よって、メールアドレスを変更していないにもかかわらず、メールアドレスの更新を促されるといった煩わしさから、ユーザを開放することができる。
【００４３】
さらに、ユーザが、撮影画像を取得するために写真シール作成装置４にて入力するメールアドレスを利用するので、ユーザが自発的にメールアドレスの更新を行う必要がない。すなわち、ユーザが撮影画像を取得する流れの中で、メールアドレスを更新する機会を与えることができる。よって、ユーザは、自発的にメールアドレスの更新を行わなければならないという煩わしさから解放される。
【００４４】
（管理サーバ１）
管理サーバ１は、所定の画像提供サイトを管理する。携帯端末６は、管理サーバ１と通信することによって、画像提供サイト内の各ウェブページにアクセスすることができる。また、写真シール作成装置４は、この画像提供サイトと連携している。写真シール作成装置が生成した撮影画像は、画像提供サイトを通じてユーザの携帯端末６にダウンロードできる。
【００４５】
さらに、管理サーバ１は、画像提供サイトのユーザ（会員）のメールアドレス（第２メールアドレス）と、写真シール作成装置４から送信された、ユーザの撮影画像とを対応付けて記憶することで、撮影画像を管理している。
【００４６】
図１は、本発明の実施形態１に係る管理サーバ１の要部構成を示すブロック図である。図１に示すように、管理サーバ１は、通信部１１、記憶部１２、および制御部１３を備えている。なお、同図では、ブロック間の情報の流れを矢印で示しているが、図面が煩雑になることを避けるため、一部の矢印を省略している。
【００４７】
（通信部１１）
通信部１１（第１メールアドレス受信手段、取得要求受信手段、更新情報送信手段）は、写真シール作成装置４および携帯端末６と通信を行う通信デバイスである。具体的には、通信部１１は、写真シール作成装置４からユーザの撮影画像およびユーザが入力したメールアドレス（第１メールアドレス）を受信し、後述する通信制御部３１に出力する。また、通信部１１は、後述するメール作成部３２が作成したメールを、第１メールアドレス宛に送信する。さらに、通信部１１は、携帯端末６に、画像提供サイトの各ウェブページを送信する。
【００４８】
（記憶部１２）
記憶部１２は、管理サーバ１にて使用される各種データを記憶する記憶デバイスである。図示のように、記憶部１２は、メール情報格納部２１、ユーザ情報格納部２２、および、サイト情報格納部２３を含む。
【００４９】
メール情報格納部２１は、ユーザ宛に送信するメールのデータを格納するメモリである。次に、ユーザ情報格納部２２は、画像提供サイトの会員であるユーザの各種情報を格納するメモリである。例えば、ユーザ情報格納部２２には、ユーザのメールアドレス（第２メールアドレス）と、当該ユーザが使用する携帯端末６を識別するためのＯｐｅｎＩＤと、ユーザが保存した撮影画像とが対応付けられて格納されている。なお、格納されている情報は上記の例に限定されず、ユーザを識別するためのアカウントＩＤなど、その他のユーザの情報が格納されていてもよい。次に、サイト情報格納部２３は、携帯端末６に表示される画像提供サイトのウェブページのデータを格納するメモリである。
【００５０】
また、記憶部１２は、撮影画像などのデータを一時的に格納する図示しない一時格納部を備えてもよい。
【００５１】
（制御部１３）
制御部１３は、管理サーバが備える各部を統括制御する。制御部１３は、通信制御部３１、メール作成部３２、第２メールアドレス特定部３３、判定部３４、および、表示ページ作成部３５を含む。
【００５２】
（通信制御部３１）
通信制御部３１（第１メールアドレス受信手段、取得要求受信手段、更新情報送信手段）は、通信部１１を制御するものである。具体的には、通信制御部３１は、通信部１１が写真シール作成装置４および携帯端末６から受信した各種情報を受け取り、各部に出力する。例えば、通信制御部３１は、写真シール作成装置４から撮影画像とともに送信された第１メールアドレスを受け取り、メール作成部３２および判定部３４に出力する。また、通信制御部３１は、第１メールアドレス宛に送信されたメールに含まれるＵＲＬが、携帯端末６にて選択されたことを示す情報を受け取ると、当該選択されたことを示す情報を第２メールアドレス特定部３３に出力する。
【００５３】
さらに、通信制御部３１は、メール作成部３２および表示ページ作成部３５から出力されたメールおよびウェブページを、通信部１１に送信させる。
【００５４】
（メール作成部３２）
メール作成部３２は、第１メールアドレス宛に送信するメールを作成するものである。具体的には、メール作成部３２は、通信制御部３１から第１メールアドレスが出力されると、当該第１メールアドレス宛のメールを作成する。このメールには第１メールアドレスとともに出力された撮影画像を取得するためのウェブページのＵＲＬが含まれており、ユーザは当該ＵＲＬを選択することで、撮影画像を取得することができる。なお、上記ウェブページのＵＲＬは、例えば、表示ページ作成部３５から取得する。メール作成部３２は、作成した当該メールを通信制御部３１に出力し、通信部１１を介して第１メールアドレス宛に当該メールを送信させる。
【００５５】
（第２メールアドレス特定部３３）
第２メールアドレス特定部３３は、第２メールアドレスを特定するものである。具体的には、第２メールアドレス特定部３３は、第１メールアドレス宛に送信されたメールに含まれるＵＲＬが、携帯端末６にて選択されたことを示す情報を受け取ると、当該ＵＲＬが示すウェブページ（画像提供サイト）にログインするために使用した端末識別情報をまず特定する。ここで、端末識別情報とは、上記携帯端末６、または上記携帯端末６のユーザを識別することができる情報であればよく、例えば、ＯｐｅｎＩＤ、またはユーザ情報格納部２２に格納されているアカウントＩＤなどが挙げられる。次に、第２メールアドレス特定部３３は、ユーザ情報格納部２２に格納されている、特定した端末識別情報と対応付けられた第２メールアドレスを特定し、読み出す。さらに、第２メールアドレス特定部３３は、読み出した第２メールアドレスを、判定部３４に出力する。
【００５６】
（判定部３４）
判定部３４（第１判定手段）は、第１メールアドレスと第２メールアドレスとが一致するか否かを判定するものである。具体的には、判定部３４は、第２メールアドレス特定部３３から第２メールアドレスを受け取ると、通信制御部３１から受け取った第１メールアドレスと一致するか否かを判定する。そして、上記判定の結果に応じて、表示ページ作成部３５にウェブページの作成を指示する。具体的には、第１メールアドレスと第２メールアドレスとが「一致する」という判定結果であった場合、判定部３４は、表示ページ作成部３５に、撮影画像を保存するためのウェブページの作成を指示する。一方、第１メールアドレスと第２メールアドレスとが「一致しない」という判定結果であった場合、判定部３４は、表示ページ作成部３５に、メールアドレスを更新させるためのウェブページの作成を指示する。
【００５７】
（表示ページ作成部３５）
表示ページ作成部３５（更新情報送信手段）は、携帯端末６に表示されるウェブページを作成するものである。具体的には、表示ページ作成部３５は、通信制御部３１から出力される、ユーザの画像提供サイトにおけるアクセス要求に応じて、サイト情報格納部２３からウェブページのデータを読み出し、携帯端末６に表示させるウェブページを作成する。なお、ウェブページを作成するとき、ユーザ情報格納部２２に格納されているユーザ情報や、ユーザ情報と対応付けられた撮影画像のサムネイル画像などを用いてもよい。
【００５８】
また、表示ページ作成部３５は、判定部３４からの指示に応じたウェブページを作成し、通信制御部３１に出力する。そして、通信制御部３１は、通信部１１を介して、出力されたウェブページを携帯端末６に送信する。
【００５９】
（写真シール作成装置４）
写真シール作成装置４は、撮影や編集などの作業をユーザにゲームとして行わせ、撮影画像や編集済み画像を提供する代わりに、ユーザより代金を受け取るゲーム機である。写真シール作成装置４はゲームセンタなどの店舗に設置される。ユーザは１人であることもあるし、複数人であることもある。
【００６０】
写真シール作成装置４が提供するゲームで遊ぶユーザは、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。ユーザは、編集済みの画像が印刷されたシール紙を受け取って、一連のゲームを終了させることとなる。
【００６１】
図３は、本発明の実施形態１に係る写真シール作成装置４の外観の構成例を示す斜視図である。この図に示すように、写真シール作成装置４は、筐体４０、事前接客ユニット４１、撮影ユニット４２、編集ユニット４３、天井ストロボボックス４４、ディスプレイ４５、およびスキャナ４６を備えている。事前接客ユニット４１は、上部ユニット４１Ａおよび下部ユニット４１Ｂを備えている。撮影ユニット４２は、前方ユニット４２Ａおよび後方ユニット４２Ｂを備えている。ディスプレイ４５は、上部ユニット４１Ａに設けられており、スキャナ４６は、下部ユニット４１Ｂに設けられている。なお、写真シール作成装置４は、写真シールを作成することができる装置であればよく、上記の構成例に限定されない。
【００６２】
図４は、本発明の実施形態１に係る写真シール作成装置４の要部構成を示すブロック図である。図４に示すように、写真シール作成装置４は、読取部５０、解析部５１、撮影部５２、編集部５３、入力部５４、印刷部５５、表示部５６、および通信部５７を備える。なお、各部の詳細については、本発明の本質とあまり関連しないため、省略する。
【００６３】
また、詳細な説明については後述するが、表示部５６は、ユーザがメールアドレス（第１メールアドレス）を入力するための画面を表示する。ユーザは、当該画面の表示に従ってメールアドレスを入力する。なお入力するメールアドレスは複数であってもよい。
【００６４】
また、メールアドレスを入力する際、作成した撮影画像のうち、携帯端末６にて取得する撮影画像を選択可能であってもよい。
【００６５】
（携帯端末６）
ユーザは、携帯端末６を所持している。ユーザは、写真シール作成装置４において撮影した自身の画像を、画像提供サイトを通じて、ユーザの携帯端末６にダウンロードする。
【００６６】
図５は、本発明の実施形態１に係る携帯端末６の要部構成を示すブロック図である。図５に示すように、携帯端末６は、入力部６０、記憶部６１、表示部６２、および通信部６３を備えている。表示部６２（表示手段）は、種々の画像を表示する表示デバイスであり、例えば、管理サーバ１の通信部１１から送信されたウェブページを表示する。その他の各部の詳細については、本発明の本質とあまり関連しないため、省略する。
【００６７】
（会員登録処理）
ユーザは、携帯端末６を用いて、管理サーバ１によって管理される画像提供サイトにアクセスし、当該画像提供サイト内の会員登録用ウェブページを通じて、自身のアカウントを管理サーバ１に作成する（会員登録）。図６は、会員登録処理において携帯端末６の表示部６２に表示されるウェブページの一例を示す画面遷移図である。
【００６８】
ユーザが、画像提供サイトにアクセスすると、図６の（ａ）に示すようなＴＯＰページ７０が携帯端末６の表示部６２に表示される。ＴＯＰページ７０は、会員ログイン用リンク画像７１および会員登録用リンク画像７２を少なくとも含む。
【００６９】
ここで、ユーザが会員登録を行うために、携帯端末６を操作して会員登録用リンク画像７２を選択した場合、携帯端末６が管理サーバ１と通信し、結果として、図６の（ｂ）に示すような、メールアドレス登録用ウェブページ７３が表示部６２に表示される。メールアドレス登録用ウェブページ７３は、メールアドレス入力フォーム７４およびメールアドレス送信用リンク画像７５を少なくとも含む。ユーザが、携帯端末６を操作してメールアドレス入力フォーム７４にメールアドレスを入力し、メールアドレス送信用リンク画像７５を選択すると、管理サーバ１にユーザのメールアドレスが送信される。
【００７０】
管理サーバ１の通信制御部３１は、通信部１１を介して携帯端末６から送信されたユーザのメールアドレスを受信する。通信制御部３１は、メール作成部３２に、上記受信したメールアドレスを出力し、会員登録用メールの作成を指示する。メール作成部３２は、上記指示を受けて、図６の（ｃ）に示すような、会員登録用メール７６を作成する。会員登録用メール７６は、上記受信したメールアドレス宛のメールであり、登録完了を示すウェブページのＵＲＬ７７を含んでいる。メール作成部３２は、作成した会員登録用メール７６を通信制御部３１に出力し、通信制御部３１は、通信部１１を介して、会員登録用メール７６を上記受信したメールアドレス宛に送信する。
【００７１】
ユーザが携帯端末６にて会員登録用メール７６を確認し、上記ＵＲＬ７７を選択すると、会員登録が終了する。具体的には、管理サーバ１において、上記受信したメールアドレスがユーザ情報格納部２２に格納される。なお、上記ＵＲＬを選択したとき、さらにアカウントＩＤ、パスワード、その他のユーザ情報などを入力するウェブページが携帯端末６に出力され、表示されてもよい。アカウントＩＤ、パスワード、その他のユーザ情報が入力され、管理サーバ１に送信された場合、これらアカウントＩＤ、パスワード、その他のユーザ情報は、上記受信したメールアドレスに対応付けられて、ユーザ情報格納部２２に格納される。
【００７２】
なお、会員登録処理は、写真シール作成装置４を経由することで行ってもよい。具体的には、写真シール作成装置４にて入力され、送信されたメールアドレスを、管理サーバ１の通信部１１が受信する。管理サーバ１は、受信したメールアドレスがユーザ情報格納部２２に格納されているメールアドレスであるかを特定する。管理サーバ１が、ユーザ情報格納部２２に格納されていないと特定した場合には、受信したメールアドレス宛に、会員登録用のウェブページ（例えば、図６の（ｂ）に示すメールアドレス登録用ウェブページ７３）のＵＲＬを含むメールを送信する。以降の処理の詳細な説明は省略するが、ユーザが携帯端末６を操作することによって、上記ＵＲＬの選択が管理サーバ１に送信される。これにより、携帯端末６に会員登録用のウェブページが送信され、表示部６２に表示されるので、ユーザは画像提供サイトの会員登録を行うことができる。
【００７３】
（撮影画像取得処理）
会員登録処理によって、画像提供サイトの会員となったユーザは、自身が写真シール作成装置４にて作成した撮影画像を、画像提供サイトを通じて取得することができる。図７は、撮影画像取得処理において携帯端末６の表示部６２に表示されるウェブページの一例を示す画面遷移図である。
【００７４】
図７の（ａ）に示すＴＯＰページ７０において、ユーザが携帯端末６を操作して会員ログイン用リンク画像７１を選択した場合、この選択が管理サーバ１に送信される。上記選択を受信した管理サーバ１はログイン処理を実行し、上記ログイン処理が正常に終了すると、図７の（ｂ）に示す会員ＴＯＰページ８０を、通信制御部３１が通信部１１を介して、携帯端末６に送信する。これにより、会員ＴＯＰページ８０が、携帯端末６の表示部６２に表示される。なお、上記ログイン処理は、ユーザがログインＩＤおよびパスワードを、携帯端末６を操作して入力し、管理サーバ１に送信することで行われてもよいし、ＯｐｅｎＩＤをあらかじめ登録しておき、会員ログイン用リンク画像７１を、携帯端末６を操作して選択することによって、自動的に行われてもよい。なお、上記ログインＩＤは、ユーザを一義的に特定できる文字列であればよく、例えば、会員登録時に入力したアカウントＩＤであってもよい。
【００７５】
会員ＴＯＰページ８０は、保存ＢＯＸ用リンク画像８１およびシールＩＤ入力用リンク画像８２を少なくとも含む。ユーザが携帯端末６を操作して、シールＩＤ入力用リンク画像８２を選択すると、携帯端末６が管理サーバ１と通信し、結果として、図７の（ｃ）に示すシールＩＤ入力用ウェブページ８３が表示部６２に表示される。
【００７６】
ここで、シールＩＤとは、ユーザが写真シール作成装置４にて作成した撮影画像を一義的に特定するための情報である。シールＩＤは、ユーザが写真シール作成装置４を操作して管理サーバ１に撮影画像を送信するときに、自動的に作成される。そして、シールＩＤは、撮影画像に対応付けられて管理サーバ１に送信される。
【００７７】
シールＩＤ入力用ウェブページ８３は、シールＩＤ入力フォーム８４およびシールＩＤ送信用リンク画像８５を少なくとも含む。ユーザが携帯端末６を操作してシールＩＤ入力フォーム８４にシールＩＤを入力し、シールＩＤ送信用リンク画像８５を選択すると、管理サーバ１は、通信部１１を介して受信したシールＩＤと対応付けられた撮影画像を特定し、シールＩＤを送信したユーザのユーザ情報と対応付ける。さらに、表示ページ作成部３５が、図７の（ｄ）に示すような、上記対応付けられた撮影画像のサムネイル画像８７を含む画像保存完了ウェブページ８６を作成し、通信制御部３１に出力する。通信制御部３１は、通信部１１を介して携帯端末６に画像保存完了ウェブページ８６を送信する。
【００７８】
なお、画像保存完了ウェブページ８６は、上記一連の撮影画像取得処理によって保存された撮影画像のサムネイル画像のみを含むものであってもよいし、図７の（ｄ）に示すように、当該ユーザのユーザ情報に対応付けられた撮影画像の一覧を含むものであってもよい。また、撮影画像取得処理は、上述したように、ユーザ情報と撮影画像を対応付けて保存するのみであってもよいし、併せて携帯端末６に当該撮影画像をダウンロードする処理であってもよい。
【００７９】
（メールアドレス更新処理）
次に、図８〜図１０を参照して、メールアドレス更新処理について詳細に説明する。図８は、本発明の実施形態１におけるメールアドレス更新処理の流れの一例を示すシーケンス図であり、図９は、実施形態１に係るメールアドレス判定処理の流れの一例を示すフローチャートであり、図１０は、本発明の実施形態１におけるメールアドレス更新処理において携帯端末６の表示部６２に表示されるウェブページの一例を示す画面遷移図である。
【００８０】
図８に示すように、ユーザは、写真シール作成装置４でのゲームのプレイを開始する（ステップＳ１）。具体的には、写真シール作成装置４の事前接客ユニット４１の前に立ち、ゲームのプレイに必要な料金を、図示しないコイン投入口に投入する。これにより、ゲームのプレイが開始される。
【００８１】
次に、写真シール作成装置４が、ユーザの写真を撮影する（ステップＳ２）。その際、ユーザは、撮影ユニット４２内に入る。図示しない撮影ボタンをユーザが押下すると、写真シール作成装置４の撮影部５２が、天井ストロボボックス４４からフラッシュ光を照射して、ユーザの写真を撮影する。この結果、図示しない撮像素子から撮像信号が撮影部５２に送られ、撮影部５２は、その信号を元に、ユーザの撮影画像を作成する。撮影部５２は、作成した撮影画像を表示部５６に出力する。
【００８２】
写真シール作成装置４は、次に、作成した撮影画像をユーザに編集させる（ステップＳ３）。その際、ユーザは、編集ユニット４３の前に立つ。表示部５６は、編集ユニット４３に設けられている、図示しないディスプレイの画面に、画像を表示する。ユーザは、図示しないタッチペンなどを利用して、撮影画像を画面上で編集する。その際、写真シール作成装置４の編集部５３が、撮影画像に対し、ユーザが画面上で行った編集を反映させる。
【００８３】
ユーザによる画像編集が終了すると、編集部５３は、編集を反映させた複数の撮影画像を、印刷部５５および通信部５７に出力する。編集完了後、図示しない印刷ボタンをユーザが押下すれば、写真シール作成装置４の印刷部５５は、図示しないプリンタを制御して、シール紙にユーザの撮影画像を印刷する。これによりユーザは、写真シールを入手することができる。
【００８４】
画像編集の終了後、写真シール作成装置４の表示部５６は、メールアドレスを入力するためのメールアドレス入力画面を、編集ユニット４３に設けられた、図示しないディスプレイの画面に表示する。上記メールアドレス入力画面には、ユーザがメールアドレスを入力する入力フォームおよび入力内容を確定させるための決定ボタンが少なくとも含まれている。ユーザは、図示しないタッチペンなどを利用して、ユーザの現在のメールアドレス（第１メールアドレス）を入力する（ステップＳ４）。この時入力した情報は、入力部５４が受け取る。
【００８５】
ユーザは、上記第１メールアドレスの入力を終えると、上記決定ボタンを押下する。これにより、入力内容が確定され、入力部５４は、上記第１メールアドレスを通信部５７に出力する。通信部５７は、上記第１メールアドレスを上記撮影画像とともに管理サーバ１に送信する（ステップＳ５）。このとき、通信部５７は、上記第１メールアドレス、上記撮影画像、および撮影画像を一義的に特定するためのシールＩＤを関連付けて送信する。
【００８６】
次に、写真シール作成装置４から送信された第１メールアドレス、撮影画像、およびシールＩＤを、管理サーバ１の通信部１１が受信する（ステップＳ６）。通信制御部３１は、受信した撮影画像を、記憶部１２の図示しない一時格納部に格納する。また、通信制御部３１は、受信した第１メールアドレスおよびシールＩＤを、メール作成部３２および判定部３４に出力する。
【００８７】
メール作成部３２は、受け取った第１メールアドレス宛のメールを作成する。このとき、メール作成部３２は、表示ページ作成部３５に受け取った第１メールアドレスおよびシールＩＤを出力し、当該シールＩＤが示す撮影画像を取得するためのウェブページの作成を指示する。表示ページ作成部３５は、図１０の（ｂ）に示すような画像取得用ウェブページ９２を作成し、画像取得用ウェブページ９２のＵＲＬをメール作成部３２に出力する。
【００８８】
メール作成部３２は、図１０の（ａ）に示すように、出力されたＵＲＬ９１を含む、第１メールアドレス宛のメール９０を作成し、通信制御部３１に出力する。通信制御部３１は、通信部１１を介して、第１メールアドレス宛にメール９０を送信する（ステップＳ７）。
【００８９】
携帯端末６は、通信部６３にて上記メール９０を受信する（ステップＳ８）。通信部６３は、受信したメール９０を表示部６２に出力する。ユーザは表示部６２にて表示されたメール９０を確認し、撮影画像を取得したい場合は、ＵＲＬ９１を選択する（ステップＳ９）。入力部６０は、上記選択を受け取り、ＵＲＬ９１が選択されたことを示す情報（ＵＲＬ選択情報）を通信部６３に出力する。通信部６３は、上記ＵＲＬ選択情報を管理サーバ１に送信する。このとき、携帯端末６において、ＯｐｅｎＩＤを予め登録している場合は、上記ＯｐｅｎＩＤを上記ＵＲＬ選択情報とともに送信する。ＯｐｅｎＩＤを送信することによって、管理サーバ１が、画像提供サイトへのログイン処理を行うことができる。
【００９０】
管理サーバ１の通信部１１は、上記ＵＲＬ選択情報を受信する。通信制御部３１は、上記ＵＲＬ選択情報を表示ページ作成部３５に出力する。表示ページ作成部３５は、図１０の（ｂ）に示すような画像取得用ウェブページ９２を通信制御部３１に出力し、通信制御部３１は、通信部１１を介して、携帯端末６に画像取得用ウェブページ９２を送信する。なお、ＯｐｅｎＩＤによるログイン処理が行われていない場合は、図６の（ａ）などに示すＴＯＰページ７０といった、ログイン処理を行うことができるウェブページを、画像取得用ウェブページ９２に替えて携帯端末６に送信してもよい。この場合、通信制御部３１は、ログイン処理が正常に終了した後に、画像取得用ウェブページ９２を携帯端末６に送信する。
【００９１】
上記ＵＲＬ選択情報を受信するとともに、管理サーバ１の通信部１１は、ＯｐｅｎＩＤなどの、携帯端末６を識別するための端末識別情報を受信する（ステップＳ１０）。通信制御部３１は、受信した端末識別情報を第２メールアドレス特定部３３に出力する。なお、上記端末識別情報はＯｐｅｎＩＤに限定されるものではない。例えば、ログイン処理としてユーザが携帯端末６を操作して入力するログインＩＤであってもよい。上記ログインＩＤは、携帯端末６、または携帯端末６のユーザ（換言すれば、会員登録しているユーザ）を特定することができる情報であればよく、例えば、ユーザ情報格納部２２に格納されているアカウントＩＤであってもよい。
【００９２】
第２メールアドレス特定部３３は、上記端末識別情報を受け取ると、ユーザ情報格納部２２から、上記端末識別情報と対応付けられている第２メールアドレスを特定し、読み出す（ステップＳ１１）。第２メールアドレス特定部３３は、読み出した第２メールアドレスを判定部３４に出力する。
【００９３】
判定部３４は、受け取った第１メールアドレスおよび第２メールアドレスを用いて、メールアドレス判定処理を行う（ステップＳ１２）。以下、図９を参照して、メールアドレス判定処理の詳細について説明する。
【００９４】
判定部３４は、受け取った第１メールアドレスと第２メールアドレスとが一致するか否かを判定する（ステップＳ１４）。そして、判定部３４は、判定の結果に応じて、表示ページ作成部３５にウェブページの作成を指示する。判定の結果が「一致しない」である場合（ステップＳ１４でＮＯ）、判定部３４は、図１０の（ｃ）に示すような、メールアドレス更新用ウェブページ９５の作成を表示ページ作成部３５に指示する。表示ページ作成部３５は、上記指示を受けて、メールアドレス更新用ウェブページ９５を作成し、通信制御部３１に出力する。通信制御部３１は、通信部１１を介して、携帯端末６にメールアドレス更新用ウェブページ９５を送信する（ステップＳ１５）。
【００９５】
一方、判定の結果が「一致する」である場合（ステップＳ１４でＹＥＳ）、管理サーバ１は、図示しない一時格納部に格納されている撮影画像とユーザ情報とを対応付け、撮影画像をユーザ情報格納部２２に格納する。また、判定部３４は、図１０の（ｄ）に示すような、保存完了報知用ウェブページ９８の作成を表示ページ作成部３５に指示する。表示ページ作成部３５は、保存完了報知用ウェブページ９８を作成し、通信制御部３１に出力する。通信制御部３１は、通信部１１を介して、携帯端末６に保存完了報知用ウェブページ９８を送信する（ステップＳ１６）。
【００９６】
携帯端末６の通信部６３は、送信されたウェブページを表示部６２に出力する。表示部６２は、受け取ったウェブページを表示する（ステップＳ１３）。
【００９７】
以下、図示しないステップＳ１３以降の処理について説明する。表示するウェブページが、メールアドレス更新用ウェブページ９５である場合、ユーザは、携帯端末６を操作することでアドレス更新用リンク画像９６、または画像保存用リンク画像９７（リンク情報）を少なくとも選択することができる。アドレス更新用リンク画像９６が、ユーザによって選択され、その旨が管理サーバ１に送信されると、アドレス更新用リンク画像９６の選択を示す情報を受信した管理サーバ１は、ユーザ情報格納部２２に格納されているメールアドレスを、第１メールアドレス、すなわち、写真シール作成装置４にて入力されたメールアドレスに更新する。
【００９８】
メールアドレス更新処理が終了した後、管理サーバ１は、上述した、撮影画像とユーザ情報との対応付けを行い、通信制御部３１が、保存完了報知用ウェブページ９８を携帯端末６に送信する。
【００９９】
一方、画像保存用リンク画像９７が、ユーザによって選択された場合は、画像保存用リンク画像９７の選択を示す情報が管理サーバ１に送信される。管理サーバ１は、画像保存用リンク画像９７の選択を示す情報を受信すると、上述した、撮影画像とユーザ情報との対応付けを行う。そして、通信制御部３１が、保存完了報知用ウェブページ９８を携帯端末６に送信する。なお、保存完了報知用ウェブページ９８は、図１０の（ｄ）に示すように、上記の処理で保存された撮影画像のサムネイル画像９３が表示されていてもよいし、図７の（ｄ）に示す画像保存完了ウェブページ８６のように、これまで保存された撮影画像のサムネイル画像が表示されてもよい。
【０１００】
以上のように、実施形態１に係る管理サーバ１は、ユーザが写真シール作成装置４にて撮影画像を作成した後に、当該撮影画像を携帯端末６にて取得するために、写真シール作成装置４にて入力するメールアドレス（第１メールアドレス）が、ユーザ情報格納部２２に格納されているメールアドレス（第２メールアドレス）と一致するか否かを判定し、一致しない場合に、メールアドレス更新用ウェブページ９５を携帯端末６に送信する。
【０１０１】
これにより、写真シール作成装置４の事業者は、ユーザが写真シール作成装置４にて行うゲームの一連の流れの中で、メールアドレスを変更したユーザに対して、適切にメールアドレスの更新を促すことができる。よって、ユーザは、自発的にメールアドレスの更新を行わなければならないという煩わしさから解放される。
【０１０２】
また、ユーザは、メールアドレスを変更していないにもかかわらず、メールアドレスの更新を促されるといった煩わしさから解放される。さらに、結果として、最新のメールアドレスをユーザ情報として登録するユーザが増加するので、事業者はより多くのユーザに対して、メールマガジンなどの情報を提供することができる。
【０１０３】
（変形例１）
上述したメールアドレス更新処理は、第１メールアドレス宛に送信されたメール９０に含まれるＵＲＬ９１を、撮影画像を取得するためにユーザが選択することで、実行させる処理であった。しかしながら、ユーザは写真シール作成装置４にてゲームを行った後、すぐに撮影画像を取得するとは限らない。ゲーム終了後すぐに撮影画像を取得しない場合、ユーザは、メール９０に含まれるＵＲＬ９１を選択せず、上述した撮影画像取得処理を行うことによって撮影画像を取得する可能性もある。
【０１０４】
そこで、本変形例では、上述した撮影画像取得処理を行うことによってユーザが撮影画像を取得する場合に、メールアドレス更新処理を行う構成について説明する。
【０１０５】
図１１は、実施形態１の変形例１におけるメールアドレス更新処理の流れの一例を示すシーケンス図である。なお、図１１におけるステップＳ２１〜ステップＳ２６、ステップＳ３４、およびステップＳ３５については、図８におけるステップＳ１〜ステップＳ６、ステップＳ１２、およびステップＳ１３と同一の処理であるので、その説明を省略する。
【０１０６】
ユーザが携帯端末６を操作して、上述した撮影画像取得処理にて説明した方法を用いて、画像提供サイトにログインする（ステップＳ２７）と、管理サーバ１はログイン処理を実行する。このとき、管理サーバ１は、上記ログイン処理に用いられた端末識別情報を受信する（ステップＳ２８）。通信制御部３１は、受信した端末識別情報を第２メールアドレス特定部３３に出力する。なお、上記端末識別情報は、ステップＳ１０と同様に、ＯｐｅｎＩＤであってもよいし、ログインＩＤ（例えば、アカウントＩＤ）であってもよい。
【０１０７】
第２メールアドレス特定部３３は、上記端末識別情報を受け取ると、ユーザ情報格納部２２から、上記端末識別情報と対応付けられている第２メールアドレスを特定し、読み出す（ステップＳ２９）。第２メールアドレス特定部３３は、読み出した第２メールアドレスを判定部３４に出力する。
【０１０８】
また、通信制御部３１は、上記ログイン処理が正常に終了すると、表示ページ作成部３５に、会員ＴＯＰページ８０の作成を指示する。さらに、通信制御部３１は、表示ページ作成部３５が作成した会員ＴＯＰページ８０を、通信部１１を介して携帯端末６に送信する。その後、撮影画像取得処理にて説明したように、携帯端末６をユーザが操作することで、管理サーバ１から携帯端末６に、図７の（ｃ）に示すようなシールＩＤ入力用ウェブページ８３が送信され（ステップＳ３０）、携帯端末６の表示部６２に表示される（ステップＳ３１）。
【０１０９】
次に、撮影画像取得処理にて説明したように、ユーザが携帯端末６を操作してシールＩＤ入力フォーム８４にシールＩＤを入力し（ステップＳ３２）、シールＩＤ送信用リンク画像８５を選択すると、入力されたシールＩＤが管理サーバ１に送信される。通信制御部３１は、通信部１１を介して受信したシールＩＤに対応付けられた第１メールアドレスを特定し（Ｓ３３）、判定部３４に出力する。なお、第１メールアドレスは、撮影画像とともに、図示しない一時格納部に格納されていてもよい。
【０１１０】
以上より、ユーザが上述した撮影画像取得処理を行うことによって撮影画像を取得する場合でも、撮影画像を取得する一連の流れの中で、メールアドレスを変更したユーザに対して、適切にメールアドレスの更新を促すことができる。
【０１１１】
なお、写真シール作成装置４にて、複数の第１メールアドレスが入力されていた場合、ステップＳ３２にて入力されたシールＩＤに対応付けられて、一時格納部に格納されているメールアドレスは複数となる。この場合、ステップＳ３４のメールアドレス判定処理にて、判定部３４は、それぞれの第１メールアドレスと第２メールアドレスとが一致するか否かを判定する。
【０１１２】
上記判定において、いずれの第１メールアドレスも第２メールアドレスと一致しない場合、表示ページ作成部３５は、メールアドレス更新用ウェブページ９５に、すべての第１メールアドレスを表示し、表示した第１メールアドレスそれぞれに対応するアドレス更新用リンク画像９６を作成する。これにより、ユーザは、自身の第１メールアドレスに対応するアドレス更新用リンク画像９６を選択することによって、自身のメールアドレスを正しく更新することができる。
【０１１３】
（変形例２）
上述したメールアドレス更新処理は、ユーザが写真シール作成装置４にてゲームを行ったときに実行される処理であった。しかしながら、上記メールアドレス更新処理は、上記タイミングでの実行に限定されない。本変形例では、ユーザが写真シール作成装置４にてゲームを行ったか否かに関係なく、ユーザが画像提供サイトにアクセスしたときに報知する構成について説明する。
【０１１４】
図１２は、実施形態１の変形例２において携帯端末６に表示されるウェブページの一例を示す画面遷移図である。画像提供サイトへのログイン操作が行われた旨を、携帯端末６の通信部６３が管理サーバ１に送信すると、管理サーバ１はログイン処理を行う。上記ログイン処理が正常に終了すると、表示ページ作成部３５は、携帯端末６から送信されたＯｐｅｎＩＤ、またはメールアドレス（第２メールアドレス）などのログインＩＤが示すユーザ情報において、第２メールアドレスへのメール送信不可のフラグが設定されているか否かを確認する。ここで、メール送信不可のフラグとは、当該第２メールアドレスにメールマガジンなどの情報を送信できない場合に設定される情報である。上記メール送信不可のフラグが設定されている場合、表示ページ作成部３５は、図１２の（ａ）に示すように、メールアドレス更新用リンク画像１０１を追加した会員ＴＯＰページ８０を作成し、通信制御部３１に出力する。通信制御部３１は、通信部１１を介して、会員ＴＯＰページ８０を、携帯端末６に送信する。
【０１１５】
ユーザが携帯端末６を操作することで、メールアドレス更新用リンク画像１０１が選択された場合、携帯端末６の通信部６３は、メールアドレス更新用リンク画像１０１の選択を示す情報を、管理サーバ１に送信する。通信制御部３１は、受信した当該情報を表示ページ作成部３５に出力し、表示ページ作成部３５は、図１２の（ｂ）に示すように、アドレス変更リンク画像１０３を含む、アドレス確認用ウェブページ１０２を作成し、通信制御部３１に出力する。通信制御部３１は、通信部１１を介して、アドレス確認用ウェブページ１０２を、携帯端末６に送信する。
【０１１６】
ユーザが携帯端末６を操作することで、アドレス変更リンク画像１０３が選択されると、メールアドレスの更新が行われる。以降の処理についての詳細な説明は省略するが、ユーザが携帯端末６を操作することによって入力されたメールアドレスが、管理サーバ１に送信され、管理サーバ１は、当該ユーザのメールアドレスを受信したメールアドレスに更新する。
【０１１７】
以上より、本変形例の構成によれば、ユーザが写真シール作成装置４にてゲームを行わなくても、メールアドレスの更新を促すことができるので、ユーザに対してメールアドレスの更新を促す機会が増加する。
【０１１８】
なお、メールアドレス更新用リンク画像１０１は、メールアドレスの更新フラグが設定されている場合は常に会員ＴＯＰページ８０に追加されてもよいし、会員ＴＯＰページ８０に追加した履歴を記憶部１２に格納しておき、表示ページ作成部３５が、上記履歴を参照することで、１カ月に１回など、所定の期間ごとに追加する構成にしてもよい。
【０１１９】
また、ユーザがメールマガジンなどの情報送信を希望しないことを示すフラグをさらに設定可能な構成とし、上記情報送信を希望しないことを示すフラグが設定されている場合は、メールアドレス更新用リンク画像１０１を追加しないとしてもよい。これにより、ユーザ自身の希望によって管理サーバ１からの情報送信が不可能となっているアカウントを、上記メールアドレス更新用リンク画像１０１を追加する対象から除外することができるので、メールアドレスの更新を促すべきユーザを適切に選別することができる。
【０１２０】
さらに、管理サーバ１は、携帯端末６から送信されたメールアドレス（ユーザが携帯端末６を操作して入力したメールアドレス）が、既にユーザ情報格納部２２に格納されているメールアドレスであるか否かを判定してもよい。ユーザ情報格納部２２に格納されているメールアドレスであった場合、通信制御部３１は、通信部１１を介して、その旨を通知するためのウェブページを、携帯端末６に送信する。
【０１２１】
なお、その後、ユーザが入力したメールアドレスと対応付けられている会員情報が、当該ユーザの会員情報であるかを確認してもよい。具体的には、例えば、ユーザが入力したメールアドレスと対応付けられているパスワードをユーザに入力させるためのウェブページを、通信制御部３１が通信部１１を介して携帯端末６に送信してもよい。
【０１２２】
ここで、ユーザが正しいパスワードを入力できた場合、当該メールアドレスと対応付けられている会員情報は、当該ユーザの第２の会員情報であるということを意味する。この場合、当該ユーザの２つの会員情報を統合（あるいは片方を削除）するかをユーザに確認するウェブページを携帯端末６に送信してもよい。
【０１２３】
（変形例３）
上述した実施形態１では、第１メールアドレスと第２メールアドレスとが不一致の場合、常にメールアドレス更新用ウェブページ９５を携帯端末６に送信する構成であった。本変形例では、所定の期間ごとにメールアドレス更新用ウェブページ９５を携帯端末６に送信する構成について説明する。
【０１２４】
携帯端末６に、常にメールアドレス更新用ウェブページ９５が表示されると、メールアドレスを更新せず、速やかに撮影画像を保存することを希望するユーザは、煩わしさを感じるおそれがある。
【０１２５】
そこで、管理サーバ１は、メールアドレス更新用ウェブページ９５を最後に表示した日時を、ユーザ情報と対応付けてユーザ情報格納部２２に格納する。判定部３４は、ユーザ情報格納部２２を参照して、上記メールアドレス更新用ウェブページ９５を最後に表示した日時が、現在の日時を基準として、所定の期間を経過しているか否かを判定する。上記所定を経過していない場合は、判定部３４は、第１メールアドレスと第２メールアドレスとが一致するか否かを判定することなく、保存完了報知用ウェブページ９８の作成を、表示ページ作成部３５に指示する。併せて、管理サーバ１は、上述した、撮影画像とユーザ情報との対応付けを行う。
【０１２６】
これにより、メールアドレス更新用ウェブページ９５は、所定の期間ごとに携帯端末６に送信されるので、メールアドレスを更新せず、撮影画像を保存するユーザに対して、常にメールアドレスの更新を報知することがなくなる。よって、当該ユーザは、撮影画像を保存するための操作を、煩わしさを感じることなく、携帯端末６にて行うことができる。
【０１２７】
〔実施形態２〕
本発明の別の実施形態について、図１３〜図１５に基づいて説明すれば、以下のとおりである。図１３は、本発明の実施形態２に係る管理サーバ２の概略構成を示すブロック図である。上述した実施形態１に係る管理サーバ１と異なり、上記管理サーバ２は、第２判定部３６をさらに備える構成である。
【０１２８】
（第２判定部３６）
第２判定部３６（第２判定手段）は、判定部３４による、第１メールアドレスと第２メールアドレスとが一致するか否かの判定結果が「不一致」であったとき、ユーザ情報格納部２２を参照して、第１メールアドレスが、ユーザ情報格納部２２に格納されているかを確認する。そして、確認結果に応じて、表示ページ作成部３５にウェブページの作成を指示する。
【０１２９】
（メールアドレス判定処理）
図１４は、本発明の実施形態２におけるメールアドレス判定処理の流れの一例を示すフローチャートである。なお、実施形態２において、図８のシーケンス図におけるステップＳ１２のメールアドレス判定処理以外の処理は、実施形態１と同様であるため、その説明を省略する。
【０１３０】
判定部３４は、受け取った第１メールアドレスと第２メールアドレスとが一致するか否かを判定する（ステップＳ４１）。上記判定の結果が「一致する」である場合（ステップＳ４１でＹＥＳ）、管理サーバ２は、保存完了報知用ウェブページ９８を携帯端末６に送信する（ステップＳ４２）。なお、ステップＳ４２の処理の詳細は、実施形態１にて説明した、図９のステップＳ１６の処理と同様であるため、その説明を省略する。
【０１３１】
一方、上記判定の結果が「一致しない」である場合（ステップＳ４１でＮＯ）、判定部３４は、上記判定の結果を第２判定部３６に出力する。第２判定部３６は、ユーザ情報格納部２２に、第１メールアドレスが格納されているかを確認する（ステップＳ４３）。第１メールアドレスが格納されていない場合（ステップＳ４３でＮＯ）、第２判定部３６は、表示ページ作成部３５に、メールアドレス更新用ウェブページ９５の作成を指示する。その後、管理サーバ２は、メールアドレス更新用ウェブページ９５を携帯端末６に送信する（ステップＳ４５）。なお、ステップＳ４５の処理の詳細は、実施形態１にて説明した、図９のステップＳ１５の処理と同様であるため、その説明を省略する。
【０１３２】
一方、第１メールアドレスがユーザ情報格納部２２に格納されている場合（ステップＳ４３でＹＥＳ）、換言すれば、写真シール作成装置４にて入力されたメールアドレスが会員の情報として格納されている場合、第２判定部３６は、登録報知兼メールアドレス更新用ウェブページ１１０の作成を、表示ページ作成部３５に指示する。なお、登録報知兼メールアドレス更新用ウェブページ１１０の詳細については後述する。
【０１３３】
表示ページ作成部３５は、上記指示を受けて、登録報知兼メールアドレス更新用ウェブページ１１０を作成し、通信制御部３１に出力する。通信制御部３１は、通信部１１を介して、携帯端末６に登録報知兼メールアドレス更新用ウェブページ１１０を送信する（ステップＳ４４）。
【０１３４】
次に、登録報知兼メールアドレス更新用ウェブページ１１０の詳細について説明する。最初に、登録報知兼メールアドレス更新用ウェブページ１１０が携帯端末６に送信される状況の一例について、以下に説明する。
【０１３５】
まず、第１の例として、携帯端末６のユーザが１度目の会員登録をし、当該会員登録の情報とＯｐｅｎＩＤとを対応付けて登録した後に、メールアドレスを変更し、変更後のメールアドレスで新たに会員登録を行った場合が考えられる。この場合、ユーザは写真シール作成装置４では、変更後のメールアドレスを入力し、図１０の（ａ）に示すメール９０は、変更後のメールアドレス宛に送信される。しかしながら、携帯端末６にて、メール９０に含まれるＵＲＬ９１をクリックした場合、ＯｐｅｎＩＤは変更前のメールアドレスを含む会員情報と対応付けられているため、上記１度目の会員登録の情報で画像提供サイトにログインすることとなる。これにより、第１メールアドレスと第２メールアドレスとが不一致であり、かつ、第１メールアドレスおよび第２メールアドレスがともにユーザ情報格納部２２に格納されているという状態となるため、結果として、登録報知兼メールアドレス更新用ウェブページ１１０が携帯端末６に送信される。
【０１３６】
第２の例として、携帯端末６のユーザＡが、受け取ったメール９０を、別のユーザＢに転送する場合が考えられる。なお、上記ユーザＡおよびユーザＢはともに画像提供サイトの会員である。この場合、メールを最初に受け取ったユーザＡと、画像提供サイトにログインするユーザＢとが異なるため、第１メールアドレスと第２メールアドレスとが不一致であり、かつ、第１メールアドレスおよび第２メールアドレスがともにユーザ情報格納部２２に格納されているという状態となる。よって、登録報知兼メールアドレス更新用ウェブページ１１０が、画像提供サイトにログインした携帯端末（ユーザＢの携帯端末）に送信される。
【０１３７】
図１５は、登録報知兼メールアドレス更新用ウェブページ１１０の一例を示す画面図である。登録報知兼メールアドレス更新用ウェブページ１１０は、メールアドレス更新用リンク画像１１１および画像保存用リンク画像１１２を少なくとも含む。メールアドレス更新用リンク画像１１１は、画像提供サイトにログインしたユーザが、２つの会員情報の統合を希望する場合に選択するものであり、上記第１の例に該当する。
【０１３８】
ユーザの操作によって、メールアドレス更新用リンク画像１１１が選択された場合、携帯端末６は、その旨を管理サーバ２に送信する。そして、管理サーバ２は、第２メールアドレスを含むユーザ情報を削除する。なお、上記削除処理の際に、第２メールアドレスを含むユーザ情報に対応付けられた撮影画像を、第１メールアドレスを含むユーザ情報に新たに対応付ける処理を行ってもよい。上記削除処理が終了した後、管理サーバ２は、実施形態１にて説明した、撮影画像（第１メールアドレスとともに管理サーバ２に送信された撮影画像）とユーザ情報との対応付けを行い、保存完了報知用ウェブページ９８を携帯端末６に送信する。
【０１３９】
一方、画像提供サイトにログインしたユーザが、２つの会員情報の統合を希望しない場合、すなわち上記第２の例に該当する場合は、ユーザは画像保存用リンク画像１１２を選択する。画像保存用リンク画像１１２が選択されると、携帯端末６は、その旨を管理サーバ２に送信する。管理サーバ２は、実施形態１にて説明した、撮影画像とユーザ情報との対応付けを行い、保存完了報知用ウェブページ９８を画像提供サイトにログインした携帯端末（ユーザＢの携帯端末）に送信する。
【０１４０】
以上より、判定部３４による判定結果が「不一致」であった場合に、第２判定部３６が、第１メールアドレスがユーザ情報格納部２２に格納されているかを判定することで、第２メールアドレスと一致しない第１メールアドレスが、画像提供サイトの会員情報として登録されているメールアドレスであるか否かを特定することができる。これにより、第２判定部３６の判定結果に応じて異なるウェブページを携帯端末６に送信することができるので、ユーザの状況に応じて適切なメールアドレスの更新方法をユーザに提示することができる。
【０１４１】
〔実施形態３〕
本発明のさらに別の実施形態について、図１６に基づいて説明すれば、以下のとおりである。実施形態３の第２判定部３６は、第１メールアドレスがユーザ情報格納部２２に格納されている場合、さらに、第２メールアドレス宛にメールの送信が可能か否かを判定する構成である。
【０１４２】
図１６は、本発明の実施形態３におけるメールアドレス判定処理の流れの一例を示すフローチャートである。なお、実施形態３においては、図８のシーケンス図におけるステップＳ１２のメールアドレス判定処理以外の処理は、実施形態１と同様であるため、その説明を省略する。
【０１４３】
（メールアドレス判定処理）
判定部３４は、受け取った第１メールアドレスと第２メールアドレスとが一致するか否かを判定する（ステップＳ５１）。上記判定の結果が「一致する」である場合（ステップＳ５１でＹＥＳ）、管理サーバ２は、保存完了報知用ウェブページ９８を携帯端末６に送信する（ステップＳ５２）。なお、ステップＳ５２の処理の詳細は、実施形態１にて説明した、図９のステップＳ１６の処理と同様であるため、その説明を省略する。
【０１４４】
一方、上記判定の結果が「一致しない」である場合（ステップＳ５１でＮＯ）、判定部３４は、上記判定の結果を第２判定部３６に出力する。第２判定部３６は、ユーザ情報格納部２２に、第１メールアドレスが格納されているかを確認する（ステップＳ５３）。第１メールアドレスが格納されていない場合（ステップＳ５３でＮＯ）、第２判定部３６は、表示ページ作成部３５に、メールアドレス更新用ウェブページ９５の作成を指示する。その後、管理サーバ２は、メールアドレス更新用ウェブページ９５を携帯端末６に送信する（ステップＳ５４）。なお、ステップＳ５４の処理の詳細は、実施形態１にて説明した、図９のステップＳ１５の処理と同様であるため、その説明を省略する。
【０１４５】
一方、第１メールアドレスが格納されている場合（ステップＳ５３でＹＥＳ）、第２判定部３６はさらに、第２メールアドレス宛のメールが送信可能か否かを判定する（ステップＳ５５）。具体的には、第２判定部３６は、ユーザ情報格納部２２を参照して、第２メールアドレス特定部３３が読み出した第２メールアドレスを含むユーザ情報において、実施形態１の変形例１にて説明した、第２メールアドレスへのメール送信不可のフラグが設定されているか否かを特定する。
【０１４６】
第２メールアドレス宛のメールが送信可能であった場合（ステップＳ５５でＹＥＳ）、第２判定部３６は、保存完了報知用ウェブページ９８の作成を表示ページ作成部３５に指示する。その後の保存完了報知用ウェブページ９８を送信するまでの処理は、上述したステップＳ５２の説明と同様であるため、説明を省略する。
【０１４７】
第２メールアドレス宛のメールが送信可能であるということは、当該第２メールアドレスが、会員であるユーザが現在使用しているメールアドレスである可能性が高いということである。換言すれば、メールアドレスの更新を促す必要がない可能性が高いということである。そのため、管理サーバ１は、メールアドレスの更新を促すウェブページを送信することなく、撮影画像とユーザ情報を対応付けて、保存完了報知用ウェブページ９８を送信する。
【０１４８】
一方、第２メールアドレス宛のメールが送信不可能であった場合（ステップＳ５５でＮＯ）、当該第２メールアドレスは、会員であるユーザが現在使用していないアドレスである可能性が高い。また、ステップＳ５５での判定結果から、第１メールアドレスと第２メールアドレスが不一致であり、かつ両方のメールアドレスがユーザ情報格納部２２に格納されている。そこで、第２判定部３６は、登録報知兼メールアドレス更新用ウェブページ１１０の作成を表示ページ作成部３５に指示する。その後の登録報知兼メールアドレス更新用ウェブページ１１０を送信するまでの処理（ステップＳ５６）は、実施形態２のステップＳ４４と同様であるため、説明を省略する。
【０１４９】
以上より、第２判定部３６が、第１メールアドレスがユーザ情報格納部２２に記憶されていると判定した場合に、第２メールアドレス宛のメールの送信が可能か否かを判定することで、画像提供サイトにログインしたユーザが、メールアドレスの更新を促すべきユーザであるか否か、換言すれば、メールマガジンなどの情報を送信できないユーザであるか否かを、さらに正確に判定することができる。これにより、メールアドレスの更新を促すべきユーザにだけ、メールアドレスの更新を促すことができる。
【０１５０】
また、変形例１と同様に、ユーザがメールマガジンなどの情報送信を希望しないことを示すフラグをさらに設定可能な構成とし、上記情報送信を希望しないことを示すフラグが設定されている場合は、メールアドレスの更新を促すウェブページを、携帯端末６に送信しない構成としてもよい。これにより、メールアドレスの更新を促すべきユーザをより適切に選別することができる。
【０１５１】
〔ソフトウェアによる実現例〕
管理サーバ１および管理サーバ２の制御ブロック（特に通信制御部３１、メール作成部３２、第２メールアドレス特定部３３、判定部３４、表示ページ作成部３５、および第２判定部３６）は、集積回路（ＩＣチップ）等に形成された論理回路（ハードウェア）によって実現してもよいし、ＣＰＵ（Central Processing Unit）を用いてソフトウェアによって実現してもよい。
【０１５２】
後者の場合、管理サーバ１および管理サーバ２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１５３】
〔付記事項〕
なお、本発明の実施形態は、以下のようにも表現できる。
【０１５４】
すなわち、本発明の管理装置は、ユーザの操作に応じてメールアドレスと当該ユーザに提供するコンテンツを受信するコンテンツ受信装置と、ユーザのメールアドレスとユーザの携帯端末の端末ＩＤを関連付けて記憶する記憶装置と、上記携帯端末から送信された上記携帯端末の端末ＩＤに関連付けられた上記記憶装置のメールアドレスと上記コンテンツ受信装置が受信するメールアドレスが、不一致の場合、ユーザに対して上記記憶装置に記憶するメールアドレスの更新を提示するメールアドレス更新装置を備える。
【０１５５】
上記の管理装置によれば、携帯端末の端末ＩＤに関連付けられた記憶装置に記憶されているメールアドレスと、コンテンツ受信装置が受信したメールアドレスとが不一致の場合、上記記憶装置に記憶されているメールアドレスの更新を提示する。
【０１５６】
これにより、ユーザのアドレス変更忘れを防止するとともに、より多くのユーザメールマガジンなどの情報を送信することができる。
【０１５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５８】
本発明は、写真シール作成装置がユーザを撮影して生成した画像を、当該ユーザのメールアドレスと対応付けて管理する管理サーバとして、幅広く利用できる。
【符号の説明】
【０１５９】
１  管理サーバ（管理装置）
２  管理サーバ（管理装置）
４  写真シール作成装置（コンテンツ提供装置）
６  携帯端末（通信端末装置）
１１  通信部（第１メールアドレス受信手段、取得要求受信手段、更新情報送信手段）
３１  通信制御部（第１メールアドレス受信手段、取得要求受信手段、更新情報送信手段）
３４  判定部（第１判定手段）
３５  表示ページ作成部（更新情報送信手段）
３６  第２判定部（第２判定手段）
６２  表示部（表示手段）
【要約】
【課題】メールアドレスを変更したユーザに対して、適切にメールアドレスの更新を促す。
【解決手段】管理サーバ１は、記憶部に記憶されているメールアドレスのうち、端末識別情報と対応付けられている第２メールアドレスと、コンテンツ提供装置にて入力された第１メールアドレスとが一致するか否かを判定する判定部３４と、判定結果が不一致であったとき、メールアドレス更新情報を携帯端末６に送信する通信部１１とを備える。
【選択図】図１【図１】
0005382253.tif 000002
【図２】
0005382253.tif 000003
【図３】
0005382253.tif 000004
【図４】
0005382253.tif 000005
【図５】
0005382253.tif 000006
【図６】
0005382253.tif 000007
【図７】
0005382253.tif 000008
【図８】
0005382253.tif 000009
【図９】
0005382253.tif 000010
【図１０】
0005382253.tif 000011
【図１１】
0005382253.tif 000012
【図１２】
0005382253.tif 000013
【図１３】
0005382253.tif 000014
【図１４】
0005382253.tif 000015
【図１５】
0005382253.tif 000016
【図１６】
0005382253.tif 000017